(57)【要約】【課題】給水中も高温の熱湯を取り出せる湯沸装置において、排水の都度シンクキャビネット内の収納品をかたづける等の面倒な作業の必要がない、手軽に排水できる給湯装置を提供する。【解決手段】開閉装置を有する給水経路４と、底面に湯沸し・保温可能な加熱装置７を装着した貯湯用の容器６と、一端が前記容器６の底面より少し高い位置に設けた取水口１３に連通し他端には出湯口１４を有する出湯経路８と、前記出湯経路８の途中に配した出湯装置９と、前記出湯装置９と前記取水口１３の間の出湯経路８の途中に配した経路切替装置１６と、一端が前記経路切替装置１６に連通し他端が前記容器６の底部に連通する排水経路１８から構成したものである。【選択図】　図１
2004125350.tif 000002
【特許請求の範囲】
【請求項１】
開閉装置を有する給水経路と、底面に加熱装置を装着した貯湯用の容器と、一端が前記容器の底面より高い位置に設けた取水口に連通し他端には出湯口を有する出湯経路と、前記出湯経路の途中に配した出湯装置と、前記出湯装置と前記取水口の間の出湯経路の途中に配した経路切替装置と、一端が前記経路切替装置に連通し他端が前記容器底部の排水口に連通する排水経路とを備えた給湯装置。
【請求項２】
開閉装置を有する給水経路と、底面に加熱装置を装着した貯湯用の容器と、一端が前記容器の底面より高い位置に設けた取水口に連通し他端には出湯口を有する出湯経路と、前記出湯経路の途中に配した第１の出湯装置と、一端が前記容器の底面に連通し他端は前記出湯経路の途中に連通する排水経路と、前記排水経路の途中に第２の出湯装置とを配した給湯装置。
【請求項３】
開閉装置を有する給水経路と、底面に加熱装置を装着した貯湯用の容器と、一端が前記容器の底面より高い位置に設けた取水口に連通し他端には出湯口を有する出湯経路と、前記出湯経路の途中に配した第１の出湯装置と、一端が前記容器上部に連通し他端が排気口に連通する排気経路と、一端が前記容器の底面連通し他端は前記排気経路の途中に連通する排水経路と、前記排水経路の途中に第２の出湯装置とを配した給湯装置。
【請求項４】
第２の出湯装置からの入水口と、容器に連通する第１の開口部と、排気口に連通する第２の開口部からなる排気経路と排水経路の連通部に弁を配し、前記弁により通常は前記入水口を閉じ、排水時に前記第１の開口部を閉じる請求項３に記載の給湯装置。
【請求項５】
排気経路と排水経路の連通部と、容器上部の連通部との間の排気経路の途中に第２の開閉装置を配した請求項３に記載の給湯装置。
【発明の詳細な説明】
【０００１】
【発明の属する技術分野】
本発明は一般家庭で使用する飲用、調理用の高温のお湯を供給するビルトインタイプの給湯装置に関するものである。
【０００２】
【従来の技術】
従来のシンクキャビネット下にビルトインされた給湯器は、給水中も高温の湯が取り出せるよう、取水口が容器底面より少し高い位置に設けられているため、出湯装置（ポンプ）による排水では、多くの残水が残ってしまうため容器の最底部に連通したドレンにより排水する構成となっている（例えば特許文献１参照）。
【０００３】
また、別構成としては排水を排水管に直接流す構成となっている。
【０００４】
【特許文献１】
特開２００２−１９５６５２号公報
【０００５】
【発明が解決しようとする課題】
しかし、従来の構成では、シンクキャビネット内に設置されているため、ドレンによる排水の都度シンクキャビネット内の収納品をかたづけて行わなければならないというような面倒さがあった。
【０００６】
本発明は、前記従来の課題を解決するもので、給水中も高温の湯が取り出せる給湯器において、シンクキャビネット内に設置された本体に、内蔵された出湯装置により排水できる構成としたもので、手軽に排水できるもので、排水の都度シンクキャビネット内の収納品をかたづける等の面倒な作業の必要がない給湯装置を提供することを目的とする。
【０００７】
【課題を解決するための手段】
前記従来の課題を解決するために、本発明の給湯器は、開閉装置を有する給水経路と、底面に加熱装置を装着した貯湯用の容器と、一端が前記容器の底面より高い位置に設けた取水口に連通し他端には出湯口を有する出湯経路と、前記出湯経路の途中に配した出湯装置と、前記出湯装置と前記取水口の間の出湯経路の途中に配した経路切替装置と、一端が前記経路切替装置に連通し他端が前記容器の底部の排水口に連通する排水経路とを備えたものである。これにより、給水中も高温の湯が取り出せる給湯器でも、排水時容器の底から出湯装置により容器内の残水を出湯口より簡単に排水することができる給湯器が提供できるものである。
【０００８】
【発明の実施の形態】
請求項１に記載の発明は、開閉装置を有する給水経路と、底面に加熱装置を装着した貯湯用の容器と、一端が前記容器の底面より高い位置に設けた取水口に連通し他端には出湯口を有する出湯経路と、前記出湯経路の途中に配した出湯装置と、前記出湯装置と前記取水口の間の出湯経路の途中に配した経路切替装置と、一端が前記経路切替装置に連通し他端が前記容器底部の排水口に連通する排水経路とを備えたことにより、排水時に出湯装置を経路切替装置により経路を切替え排水口に連通させ容器内の残水を出湯口から簡単に排水することができる。
【０００９】
請求項２記載の発明は、開閉装置を有する給水経路と、底面に加熱装置を装着した貯湯用の容器と、一端が前記容器の底面より高い位置に設けた取水口に連通し他端には出湯口を有する出湯経路と、前記出湯経路の途中に配した第１の出湯装置と、一端が前記容器の底面連通し他端は前記出湯経路の途中に連通する排水経路と、前記排水経路の途中に第２の出湯装置とを配したことにより、排水時に第２の出湯装置を駆動することで容器底部の排水口から出湯口に容器内の残水を排水することができる。
【００１０】
請求項３記載の発明は、開閉装置を有する給水経路と、底面に加熱装置を装着した貯湯用の容器と、一端が前記容器の底面より高い位置に設けた取水口に連通し他端には出湯口を有する出湯経路と、前記出湯経路の途中に配した第１の出湯装置と、一端が前記容器上部に連通し他端が排気口に連通する排気経路と、一端が前記容器の底面連通し他端は前記排気経路の途中に連通する排水経路と、前記排水経路の途中に第２の出湯装置とを配したことにより、排水時に第２の出湯装置を駆動することで容器底部の排水口から出湯口に容器内の残水を排水することができ、さらに排水経路を容器内の熱湯で洗浄できる。
【００１１】
請求項４記載の発明は、特に請求項３記載の発明において、第２の出湯装置からの入水口と、容器に連通する第１の開口部と、排気口に連通する第２の開口部からなる排気経路と排水経路の連通部に弁を配し、前記弁により通常は前記入水口を閉じ、排水時に前記入水口を開き、前記第１の開口部を閉じることにより、排水時に第２の出湯装置を駆動することで容器底部の排水口から出湯口に容器内の湯を確実に排水することができる。また、排水経路を容器内の熱湯で洗浄できる。
【００１２】
請求項５記載の発明は、特に請求項３記載の発明において、排気経路と排水経路の連通部と容器上部の連通部との間の排気経路の途中に第２の開閉装置を配したことにより、排気経路と排水経路の連通部から容器上部への連通部との間の排水経路を、より確実に容器内の熱湯で洗浄することができるものである。
【００１３】
【実施例】
以下に本発明の実施例について、図１〜５を参照しながら説明する。
【００１４】
（実施例１）
図１は本発明の第１の実施例における給湯装置の全体構成を示したものである。
【００１５】
図１において、１は一般の水道管、２はシンクキャビネット、３はシンクキャビネット内に内蔵された給湯装置の本体、４は水道管１から分岐し本体３に給水する給水経路、５は給水経路４の途中に配し水路の開閉が可能な開閉装置、６は本体３に内蔵された貯湯用の容器、７は容器６内の液体を所定温度まで加熱及び一定温度で保温する加熱装置、８は容器６内の液体を外部に出湯する出湯経路、９は出湯経路の途中に配した出湯装置、１０はシンクキャビネット２の上面に設置された水栓、１１は給水経路４の容器６の上部に連通する給水口、１２は容器６内の満水位より上に位置し給水口１１より下に位置した水受皿、１３は水受皿１２に給水された水を一端貯め加熱装置７の近傍まで徐々に導く給水パイプ、１４は出湯経路８の一端で容器６の底面より少し高い位置に設けた取水口、１５は出湯経路８の他端で水栓１０に設けた出湯口、１６は取水口１４と出湯装置９の間に設けられ出湯経路８の容器６への開口を取水口１４と排水口１７のいずれかに選択的に開口を切替える経路切替装置、１７は容器６の最下部近傍に開放した排水口、１８は経路切替装置１６と排水口１８を連通する排水経路、１９は操作表示部、２０は水温センサー、２１は操作表示部１９・水温センサー２０等の信号により開閉装置５・加熱装置７・出湯装置９・経路切替装置１６等を制御する制御装置、２２は一端が容器６の上部に連通し他端には排気口２３に連通する排気経路と、２４は給水経路４の途中に設けた浄水部とから構成されている。
【００１６】
以上の様に構成された給湯装置について、以下にその動作、作用を説明する。
【００１７】
まず、水道水が開閉装置５の開閉により約１００〜２００ｍｌ程度の少量ずつ給水される。この時給水された水は一旦水受皿１２に受けられ給水パイプ１３をゆっくり通過して容器６の取水口１４より低い底部近傍に水の温度による比重差により静かに給水される。一定量給水されると加熱装置７により加熱を開始し水温センサー２０により所定温度まで加熱し湯沸しする。この繰返しにより水位検知手段（図示せず）により所定の湯量まで湯沸しを継続し湯沸し完了後、保温に移行し湯温をキープする。
【００１８】
容器６内の湯の出湯は出湯装置９により容器６内の取水口１４から出湯経路８を通り出湯口１５より任意に出湯可能となる。出湯後容器６内の湯量が減ると制御装置１２が自動的に開閉装置５を開閉し前述の小水量湯沸かし（一回の給水が約１００〜２００ｍｌ程度の給水・湯沸かし）を所定の水量まで繰り返し行い常に所定の水量を維持している。容器６内への給水中も取水口１４が容器底面より少し高い位置にあるため水の温度による比重差で容器６内の高温の湯を取り出すことができる。飲用や調理にこの湯をふんだんに使い、効率よく飲用や調理を行うことができる。
【００１９】
また、容器６内の残水の排水時は操作表示部１８からの外部操作により、経路切替装置１６で経路を切替え出湯経路８を排水口１７に連通させ、出湯装置９により出湯口１５からシンク内に排水することが簡単にできる。シンクキャビネット２内に内蔵されていても手軽に排水操作ができる。また、排水のための排水管への配管工事の必要もなく簡単に排水できるものである。
【００２０】
（実施例２）
図２（ａ）は本発明の第２の実施例における給湯装置の全体構成、（ｂ）は図２（ａ）中Ａ部の詳細を示したものである。
【００２１】
以下に実施例１と異なる点について述べる。
【００２２】
出湯経路８には第１の出湯装置９を有し（経路切替装置１６はなし）、排水経路１８は一端が排水口１７他端は出湯経路８に連通している。２５は第２の出湯装置で排水経路１８の途中に配している。その他は実施例１と同じ構成である。
【００２３】
以上の様に構成された給湯装置について、実施例１と異なる点について以下にその動作、作用を説明する。
【００２４】
容器６内の残水を排水する場合、操作表示部１８等からの外部操作で第２の出湯装置２５を駆動して出湯口１５からシンク内に排水する。
【００２５】
なお、出湯経路８と排水経路１８の連通部に弁２６を設け出湯時は排水経路１８側を閉じ、排水時は排水の水圧により出湯側を閉じることで、さらに確実な出湯と排水が可能となる。
【００２６】
（実施例３）
図３（ａ）は、本発明の第３の実施例における給湯装置の全体構成、（ｂ）は図３（ａ）中Ｂ部の詳細を示したものである。
【００２７】
図３において、実施例２と異なる点について説明する。
【００２８】
排水経路１８の排水口１７とは逆の一端を排気経路２２に連通した構成としている。
【００２９】
さらに、排気経路２２と排水経路１８の連通部は、入水口２８と第１の開口部２９と第２の開口部３０からなり、第１の開口部２９の開口面積より第２の開口部３０の開口面積を大きくしている。
【００３０】
以上の様に構成された給湯装置について、実施例２と異なる点について以下にその動作、作用を説明する。
【００３１】
容器６内の残水を排水する場合、操作表示部１９等からの外部操作で第２の出湯装置２５を駆動して排気経路２２を経由して排気口２３からシンク内に排水する。これによりシンクキャビネット２内に設置されていても容易に排水操作ができ、さらに容器６内の熱湯を利用し排水時に排気経路２２を熱湯洗浄することができる。
【００３２】
（実施例４）
図４は、本発明の第４の実施例における給湯装置の部分構成を示したものである。
【００３３】
図４において、実施例３と異なる点について説明する。
【００３４】
排気経路２２と排水経路１８との連通部に図４のように弁２７を設け通常は排水経路１８側の入水口２８を閉じ、排水時は排水時の水圧により排気経路２２の容器６側の第１の開口部２９を閉じ入水口２８から第２の開口部３０に流れる構成としている。
【００３５】
以上の様に構成された給湯装置について、実施例３と異なる点について以下にその動作、作用を説明する。
【００３６】
容器６内の残水を排水する場合、操作表示部１９等からの外部操作で第２の出湯装置２５を駆動して排気経路２２を経由して排気口２３からシンク内に排水する。これによりシンクキャビネット２内に設置されていても容易に排水操作ができ、さらに容器６内の熱湯を利用し排水時に排気経路２２を熱湯洗浄することができる。
【００３７】
（実施例５）
図５は、本発明の第５の実施例における給湯装置の部分構成を示したものである。
【００３８】
図５において、実施例４と異なる点について説明する。
【００３９】
排気経路２２と排水経路１８の連通部と容器６上部の連通部との間の排気経路２２の途中に第２の開閉装置３１を配置した構成としている。
【００４０】
以上の様に構成された給湯装置について、実施例４と異なる点について以下にその動作、作用を説明する。
【００４１】
容器６内の残水を排水する場合、まず第２の開閉装置３１が開状態で操作表示部１８等からの外部操作で第２の出湯装置２５を駆動した場合、排気経路２２と排水経路１８の連通部から容器６に連通した排気経路２２を経由して容器６内に湯が循環し排気経路２２の一部を熱湯洗浄することができる。
【００４２】
また、第２の開閉装置３１が閉状態で操作表示部１９等からの外部操作で第２の出湯装置２５を駆動した場合、排気経路２２と排水経路１８の連通部から排気口２３に連通した排気経路２２を経由してシンク内に排水され排気経路２２の排気口２３側を熱湯洗浄することができる。これによりシンクキャビネット２内に設置されていても容易に排水操作ができ、さらに容器６内の熱湯を利用し排水時に排気経路２２全体を確実に熱湯洗浄することができる。
【００４３】
【発明の効果】
以上のように請求項１〜５記載の発明によれば、容器への給水中も高温の湯が取り出せる給湯装置において、シンクキャビネット内に設置されていても本体内に内蔵された出湯装置によりシンク内へ排水できる構成としたので手軽に排水操作ができるもので、排水の都度シンクキャビネット内の収納品をかたづける等の面倒な作業の必要がない給湯装置を提供することができるものである。
【図面の簡単な説明】
【図１】本発明の実施例１における給湯装置の全体構成図
【図２】（ａ）本発明の実施例２における給湯装置の全体構成図
（ｂ）本発明の実施例２における給湯装置の要部詳細図
【図３】（ａ）本発明の実施例３における給湯装置の全体構成図
（ｂ）本発明の実施例３における給湯装置の要部詳細図
【図４】本発明の実施例４における給湯装置の排気経路と排水経路の連通部の部分構成図
【図５】本発明の実施例５における給湯装置の排気経路と排水経路の連通部の部分構成図
【符号の説明】
４　給水経路
５　開閉装置
６　容器
７　加熱装置
８　出湯経路
９　出湯装置
１３　取水口
１４　出湯口
１６　経路切替装置
１７　排水口
１８　排水経路
３１　開閉装置
【図１】
2004125350.tif 000003
【図２】
2004125350.tif 000004
【図３】
2004125350.tif 000005
【図４】
2004125350.tif 000006
【図５】
2004125350.tif 000007